(57)【要約】【課題】  術者が煩わしさを感じずに内視鏡診断を行えるようにする。【解決手段】  電子内視鏡装置２の電子内視鏡１０は、バッテリ３８の放電電圧を測定する放電電圧測定回路４０と、バッテリ３８の使用時間を計時する計時回路４１と、放電電圧測定回路４０の測定結果、計時回路４１の計時結果、およびＲＯＭ３１に記憶されたバッテリ３８の放電電圧と放電時間との関係から、バッテリ３８の残り使用時間ｔrを求める残り使用時間算出回路４２と、残り使用時間ｔrをプロセッサ装置１１に送信する送信部３５とを備える。プロセッサ装置１１は、送信部３５からの残り使用時間ｔrを受信する受信部５４と、内視鏡画像６０の表示範囲外に残り使用時間ｔrを表すプログレスバー６１を表示させる画像処理部５８とを備える。【選択図】        図１
2006280542.tif 000002
【特許請求の範囲】
【請求項１】
体腔内の被観察体像を撮影する撮像素子が配され、バッテリから電力が供給される電子内視鏡と、前記撮像素子で出力される撮像信号から内視鏡画像を生成するプロセッサ装置と、前記内視鏡画像を表示するモニタとからなる電子内視鏡装置であって、
前記電子内視鏡は、前記バッテリの放電電圧と放電時間との関係を記憶する記憶手段と、
前記バッテリの放電電圧を測定する放電電圧測定手段と、
前記バッテリの使用時間を計時する計時手段と、
前記放電電圧測定手段の測定結果、前記計時手段の計時結果、および前記バッテリの放電電圧と放電時間との関係から、前記バッテリの残りの使用時間を算出する残り使用時間算出手段と、
前記残り使用時間算出手段の算出結果を前記プロセッサ装置に送信する送信手段とを備え、
前記プロセッサ装置は、前記送信手段からの前記残り使用時間算出手段の算出結果を受信する受信手段と、
前記内視鏡画像の表示範囲外に、前記残り使用時間算出手段の算出結果を元にした前記バッテリの残り使用時間を表す残量表示を表示させるように、前記モニタの表示を制御する表示制御手段とを備えたことを特徴とする電子内視鏡装置。
【請求項２】
前記表示制御手段は、前記残り使用時間算出手段の算出結果が予め設定された閾値を下回った場合、前記残量表示を通常の場合と区別して前記モニタに表示させることを特徴とする請求項１に記載の電子内視鏡装置。
【請求項３】
前記表示制御手段は、前記残り使用時間算出手段の算出結果が予め設定された閾値を下回った場合、バッテリの交換を促すメッセージを前記残量表示とともに前記モニタに表示させることを特徴とする請求項１または２に記載の電子内視鏡装置。
【請求項４】
前記プロセッサ装置は、前記閾値の設定を変更する設定変更手段を備えたことを特徴とする請求項２または３に記載の電子内視鏡装置。
【請求項５】
前記表示制御手段は、前記残量表示として、前記バッテリの残り使用時間がバーの個数の多少で表されるプログレスバーを用いたことを特徴とする請求項１ないし４のいずれかに記載の電子内視鏡装置。
【発明の詳細な説明】
【技術分野】
【０００１】
本発明は、バッテリ駆動型の電子内視鏡と、内視鏡画像を生成するプロセッサ装置と、内視鏡画像を表示するモニタとからなる電子内視鏡装置に関する。
【背景技術】
【０００２】
従来から、医療分野において、電子内視鏡を利用した医療診断が盛んに行われている。電子内視鏡の体腔内に挿入される挿入部先端には、ＣＣＤなどの撮像素子が内蔵されており、このＣＣＤにより取得した撮像信号に対して、プロセッサ装置で信号処理を施すことで、モニタで体腔内の画像（内視鏡画像）を観察することができる。
【０００３】
上記のような電子内視鏡には、バッテリを搭載し、このバッテリから電力が供給される、いわゆるバッテリ駆動型の電子内視鏡がある。バッテリ駆動型の電子内視鏡には、バッテリの残量を検知して、バッテリに設けたＬＥＤや液晶パネルで検知結果に応じた残量表示を行うものが提案されている（特許文献１および２参照）。
【特許文献１】特開２００１−８３４３４号公報
【特許文献２】特開２００１−１５５７８７号公報
【発明の開示】
【発明が解決しようとする課題】
【０００４】
実際の内視鏡診断にあたっては、術者は電子内視鏡の操作部を片手で操作しながら、モニタに表示される内視鏡画像を観察する。このため、特許文献１および２に記載の技術のように、術者の手元にあるバッテリに残量表示機能を設けた場合、術者は手元を常に気にしながら内視鏡画像を観察しなければならず、非常に煩わしいという問題があった。
【０００５】
本発明は、上記課題を鑑みてなされたものであり、術者が煩わしさを感じずに内視鏡診断を行うことができる電子内視鏡装置を提供することを目的とする。
【課題を解決するための手段】
【０００６】
上記目的を達成するために、本発明は、体腔内の被観察体像を撮影する撮像素子が配され、バッテリから電力が供給される電子内視鏡と、前記撮像素子で出力される撮像信号から内視鏡画像を生成するプロセッサ装置と、前記内視鏡画像を表示するモニタとからなる電子内視鏡装置であって、前記電子内視鏡は、前記バッテリの放電電圧と放電時間との関係を記憶する記憶手段と、前記バッテリの放電電圧を測定する放電電圧測定手段と、前記バッテリの使用時間を計時する計時手段と、前記放電電圧測定手段の測定結果、前記計時手段の計時結果、および前記バッテリの放電電圧と放電時間との関係から、前記バッテリの残りの使用時間を算出する残り使用時間算出手段と、前記残り使用時間算出手段の算出結果を前記プロセッサ装置に送信する送信手段とを備え、前記プロセッサ装置は、前記送信手段からの前記残り使用時間算出手段の算出結果を受信する受信手段と、前記内視鏡画像の表示範囲外に、前記残り使用時間算出手段の算出結果を元にした前記バッテリの残り使用時間を表す残量表示を表示させるように、前記モニタの表示を制御する表示制御手段とを備えたことを特徴とする。
【０００７】
なお、前記表示制御手段は、前記残り使用時間算出手段の算出結果が予め設定された閾値を下回った場合、前記残量表示を通常の場合と区別して前記モニタに表示させることが好ましい。また、前記表示制御手段は、前記残り使用時間算出手段の算出結果が予め設定された閾値を下回った場合、バッテリの交換を促すメッセージを前記残量表示とともに前記モニタに表示させることが好ましい。この場合、前記プロセッサ装置は、前記閾値の設定を変更する設定変更手段を備えることが好ましい。
【０００８】
また、前記表示制御手段は、前記残量表示として、前記バッテリの残り使用時間がバーの個数の多少で表されるプログレスバーを用いることが好ましい。
【発明の効果】
【０００９】
本発明の電子内視鏡装置によれば、電子内視鏡は、バッテリの放電電圧と放電時間との関係を記憶する記憶手段と、バッテリの放電電圧を測定する放電電圧測定手段と、バッテリの使用時間を計時する計時手段と、放電電圧測定手段の測定結果、計時手段の計時結果、およびバッテリの放電電圧と放電時間との関係から、バッテリの残りの使用時間を算出する残り使用時間算出手段と、残り使用時間算出手段の算出結果をプロセッサ装置に送信する送信手段とを備え、プロセッサ装置は、送信手段からの残り使用時間算出手段の算出結果を受信する受信手段と、内視鏡画像の表示範囲外に、残り使用時間算出手段の算出結果を元にしたバッテリの残り使用時間を表す残量表示を表示させるように、モニタの表示を制御する表示制御手段とを備えたので、術者は内視鏡画像を観察しながらバッテリの残量を確認することができる。したがって、術者が煩わしさを感じずに内視鏡診断を行うことができる。
【発明を実施するための最良の形態】
【００１０】
図１において、電子内視鏡装置２は、電子内視鏡１０、およびプロセッサ装置１１から構成される。この電子内視鏡装置２は、電子内視鏡１０とプロセッサ装置１１との信号の遣り取りを、予め複数のチャネルが割り当てられた第１または第２の周波数帯域（例えば、１．２ＧＨｚまたは２．４ＧＨｚ）の周波数帯域をもつ電波１２にて行う、いわゆるワイヤレス電子内視鏡装置である。
【００１１】
電子内視鏡１０は、体腔内に挿入される挿入部１３と、挿入部１３の基端部分に連設された操作部１４とを備えている。挿入部１３の先端に連設された先端部１３ａには、体腔内の被観察体像の像光を取り込むための対物レンズ１５と、体腔内の被観察体像を撮影する撮像素子としてのＣＣＤ１６、および照射レンズ１７と体腔内照明用のＬＥＤ光源（ＬＥＤ）１８（ともに図２参照）が内蔵されている。ＣＣＤ１６により取得された体腔内の画像は、プロセッサ装置１１に接続されたモニタ１９に内視鏡画像６０（図６参照）として表示される。
【００１２】
先端部１３ａの後方には、複数の湾曲駒を連結した湾曲部２０が設けられている。この湾曲部２０は、操作部１４に設けられたアングルノブ１４ａが操作されて、挿入部１３内に挿設されたワイヤが押し引きされることにより、上下左右方向に湾曲動作し、先端部１３ａが体腔内の所望の方向に向けられるようになっている。
【００１３】
操作部１４の下方には、水が貯留される貯水タンク２１と、エアーが貯留されるエアーボンベ２２とが内蔵されたカートリッジ２３が着脱自在に取り付けられている。これら貯水タンク２１、エアーボンベ２２に貯留された水、エアーは、操作部１４の送水／送気ボタン１４ｂの操作に連動して、電子内視鏡１０内部に配設された送水パイプ、送気パイプを通って、先端部１３ａに形成された洗浄ノズル（図示せず）から対物レンズ１５に向けて噴射される。これにより、対物レンズ１５表面に付着した汚物などの除去や、体腔内への送気を行うことが可能となっている。ここで、カートリッジ２３は、電子内視鏡１０を使用する際に操作者の手の付け根が当接する位置に取り付けられており、電子内視鏡１０の操作性を安定化させる役割も果たしている。なお、符号２４は、処置具が挿通される鉗子口である。
【００１４】
図２において、ＣＰＵ３０は、電子内視鏡１０の全体の動作を統括的に制御する。ＣＰＵ３０には、電子内視鏡１０の動作を制御するための各種プログラムやデータ、後述するバッテリ３８の放電電圧と放電時間との関係（図４参照）が記憶されたＲＯＭ３１が接続されている。ＣＰＵ３０は、ＲＯＭ３１から必要なプログラムやデータを読み出し、電子内視鏡１０の動作制御を行う。
【００１５】
ＬＥＤ１８には、駆動部３２が接続されている。駆動部３２は、ＣＰＵ３０の制御の下に、ＬＥＤ１８をオン／オフ駆動させる。ＬＥＤ１８から発せられた光は、照射レンズ１７を介して体腔内の被観察体に照射される。なお、先端部１３ａではなく操作部１４の内部にＬＥＤ１８を配し、ライトガイドで先端部１３ａに導光する構成としてもよい。
【００１６】
ＣＣＤ１６は、対物レンズ１５から入射した体腔内の被観察体像の像光を撮像面に結像させ、各画素からこれに応じた撮像信号を出力する。ＡＦＥ３３は、ＣＣＤ１６から入力された撮像信号に対して、相関二重サンプリング、増幅、およびＡ／Ｄ変換を施して、撮像信号をデジタルの画像信号に変換する。
【００１７】
変調部３４は、ＡＦＥ３３から出力されたデジタルの画像信号に対して、例えばデジタル直交変調を施してＲＦ信号を生成する。送信部３５は、アンテナ３６を介して、変調部３４で生成されたＲＦ信号を、第１または第２の周波数帯域をもつ電波１２としてプロセッサ装置１１に送信する。また、送信部３５は、詳しくは後述するように、残り使用時間算出回路４２（図３参照）で算出したバッテリ３８の残りの使用時間ｔrも、電波１２としてプロセッサ装置１１に送信する。
【００１８】
コネクタ３７には、例えば、定格電圧１．２Ｖのニッケル−水素電池が２個直列接続されたバッテリ３８が接続されている。バッテリ３８の電力は、ＣＰＵ３０により制御される電力供給部３９から、電子内視鏡１０の各部に供給される。なお、図１には示していないが、操作部１４の後部には、バッテリ３８を収納するバッテリ収納室が設けられており、コネクタ３７はその内部に配されている。
【００１９】
図３において、ＣＰＵ３０には、放電電圧測定回路４０、計時回路４１、および残り使用時間算出回路４２が設けられている。放電電圧測定回路４０は、バッテリ３８の放電電圧を、連続的、あるいは一定時間間隔で測定し、これをＡ／Ｄ変換してデジタル化する。放電電圧測定回路４０は、デジタル化した放電電圧の測定結果を残り使用時間算出回路４２に送信する。なお、放電電圧測定回路４０には、ＬＥＤ１８を消灯後、再度点灯させた際にバッテリ３８の見かけの起電力が上昇する復帰現象を考慮して、ＬＥＤ１８点灯直後は放電電圧を測定しないように、その測定タイミングを遅延させる遅延回路が組み込まれている。
【００２０】
計時回路４１は、電子内視鏡１０の電源がオンされると同時に作動して、バッテリ３８の使用時間を計時する。計時回路４１は、バッテリ３８の使用時間の計時結果を、残り使用時間算出回路４２に送信する。計時回路４１の計時結果は、内視鏡診断が終了して、電子内視鏡１０またはプロセッサ装置１１の電源がオフされたとき、またはコネクタ３７でバッテリ３８の交換が検知されたときにクリアされる。
【００２１】
ここで、バッテリ３８の放電電圧と放電時間との関係は、図４に示すように、使用開始から時間経過とともに徐々に放電電圧が下がっていき、ある時間を境に急激に放電電圧が落ち込む特性となっており、図中Ａ〜Ｃで示すように、充電回数が多くなるに連れて放電電圧が落ち込む時間が早くなる。ＲＯＭ３１には、この図４のＡに示す、バッテリ３８が新品で充電回数が０回のときの関係がデータテーブル、または演算式として記憶されている。また、ＲＯＭ３１には、放電電圧測定回路４０の測定結果が、予め設定されたある値（例えば、２Ｖ）となったときの計時回路４１の計時結果とＡに示す関係とから、バッテリ３８が使用限界となる時間を求めるデータテーブル、または演算式が記憶されている。なお、これらのデータテーブル、または演算式は、予め実験により求められる。
【００２２】
バッテリ３８が使用限界となる放電電圧をＶth、そのときの放電時間をｔth（バッテリ３８をフル充電したときの使用限界時間、Ｖth、ｔthはともに予め設定された値で、実際には使用限界の少し手前の値が設定されている。）、放電電圧測定回路４０の測定結果をＶm、そのときの放電時間をｔmとすると、バッテリ３８の残りの使用時間ｔr（以下、単に残り使用時間ｔrという。）は、ｔth−ｔmとなる。
【００２３】
残り使用時間算出回路４２は、ＲＯＭ３１からバッテリ３８の放電電圧と放電時間との関係、および放電電圧測定回路４０の測定結果が予め設定されたある値となったときの計時回路４１の計時結果とＡに示す関係とから、バッテリ３８が使用限界となる時間を求めるデータテーブル、または演算式を読み出し、これを参照して、放電電圧測定回路４０の測定結果Ｖmが予め設定されたある値となったときの計時回路４１の計時結果ｔtimerと、図４Ａにおける測定結果Ｖmと使用限界時間ｔthAとの関係から、使用限界時間ｔthを導き出し、このｔthから、計時回路４１の計時結果ｔtimerを減算することで、残り使用時間ｔrを求める。残り使用時間算出回路４２は、算出した残り使用時間ｔrを、変調部３４を介して送信部３５に送信する。
【００２４】
変調部３４は、残り使用時間算出回路４２から送信された残り使用時間ｔrを無線信号に変調する。送信部３５は、残り使用時間算出回路４２から送信された残り使用時間ｔrを、無線伝送により後述するプロセッサ装置１１の受信部５４（図５参照）に送信する。送信部３５は、ＲＦ信号を電波１２として送信する期間と重ならないように、同期期間を利用して残り使用時間ｔrの送信を行う。なお、この送信部３５による残り使用時間ｔrの送信は、上述のＲＦ信号を電波１２として送信するチャネルとは別に、専用に用意されたチャネル（０チャネル）で行ってもよい。
【００２５】
図５において、ＣＰＵ５０は、プロセッサ装置１１の全体の動作を統括的に制御する。ＣＰＵ５０には、プロセッサ装置１１の動作を制御するための各種プログラムやデータが記憶されたＲＯＭ５１と、キーボードやマウスからなる操作部５２とが接続されている。ＣＰＵ５０は、このＲＯＭ５１から必要なプログラムやデータを読み出すとともに、操作部５２からの操作入力信号に応じて、プロセッサ装置１１の動作制御を行う。
【００２６】
アンテナ５３は、電子内視鏡１０からの電波１２を受信する。受信部５４は、アンテナ５４で受信された電波１２、すなわちＲＦ信号を増幅する。復調部５５は、ＲＦ信号に対して、例えばデジタル直交検波を施して、ＲＦ信号を電子内視鏡１０で変調される前の画像信号に復調する。また、受信部５４および復調部５５は、同期期間または０チャネルを用いて電子内視鏡１０から送信される残り使用時間ｔrを受信して、これを復調する。
【００２７】
同期分離部５６は、ＣＰＵ５０の制御の下に、復調部５５で復調された画像信号から、振幅分離によって同期信号を分離し、 続いて周波数分離により水平同期信号と垂直同期信号とを分離する。ビデオ信号処理部５７は、画像信号からデジタルのビデオ信号を生成する。画像処理部５８は、ビデオ信号処理部５７で生成されたビデオ信号に対して、マスク生成や、後述するプログレスバー６１（図６参照）を含むキャラクタ情報付加などの各種画像処理を施す。バッファ５９は、画像処理部５８で各種画像処理が施され、モニタ１９に内視鏡画像６０として表示されるビデオ信号を一旦格納する。
【００２８】
復調部５５で復調された残り使用時間ｔrは、ＣＰＵ５０を介して画像処理部５８に送信される。図６に示すように、画像処理部５８は、内視鏡画像６０の表示範囲外に、残り使用時間ｔrを元にしたバッテリ３８の残量を示すプログレスバー６１を表示させるように、モニタ１９の表示を制御する。プログレスバー６１は、残り使用時間ｔrをバー６１ａ（図中網掛け部分）の個数の多少で表すもので、バー６１ａの個数は、使用限界時間ｔthに対する残り使用時間ｔrの割合に比例して増減される。つまり、図示する状態を例にとると、バー６１ａの個数が５個中３個であるので、使用限界時間ｔthに対する残り使用時間ｔrの割合は３／５×１００＝６０％ということになる。
【００２９】
また、図８に示すように、画像処理部５８は、残り使用時間ｔrが予め設定された閾値を下回った場合（例えば、使用限界時間ｔthに対する残り使用時間ｔrの割合が１０％以下となったとき）、バッテリ３８の交換を促すメッセージ６２をプログレスバー６１とともに表示させると同時に、例えば、プログレスバー６１の表示色を緑色から赤色に変化させる、あるいはプログレスバー６１自体を点滅させるなどして、通常の場合と区別してプログレスバー６１を表示する。なお、上記閾値は、操作部５２を操作することで、設定変更することが可能となっている。
【００３０】
上記のように構成された電子内視鏡装置２で体腔内を観察する際には、挿入部１３を体腔内に挿入して、ＬＥＤ光源１８をオンして体腔内を照明しながら、ＣＣＤ１６による内視鏡画像６０をモニタ１９で観察する。
【００３１】
このとき、対物レンズ１５から入射した体腔内の被観察体像の像光は、ＣＣＤ１６の撮像面に結像され、ＣＣＤ１６から撮像信号が出力される。ＣＣＤ１６から出力された撮像信号は、ＡＦＥ３３で相関二重サンプリング、増幅、およびＡ／Ｄ変換が施され、デジタルの画像信号に変換される。
【００３２】
ＡＦＥ３３から出力されたデジタルの画像信号は、変調部３４でデジタル直交変調が施され、ＲＦ信号が生成される。ＲＦ信号は、送信部３５で増幅され、アンテナ３６から電波１２として送信される。
【００３３】
一方、プロセッサ装置１１では、電子内視鏡１０のアンテナ３６から送信された電波１２がアンテナ５３で受信されると、この電波１２、すなわちＲＦ信号が受信部５４で増幅される。復調部５５では、受信部５４で増幅されたＲＦ信号にデジタル直交検波が施され、電子内視鏡１０で変調される前の画像信号が復調される。
【００３４】
復調部５５で復調された画像信号は、ＣＰＵ５０の制御の下に、同期分離部５６で同期分離が施され、ビデオ信号処理部５７でデジタルのビデオ信号として出力される。ビデオ信号処理部５７で出力されたビデオ信号は、画像処理部５８で各種画像処理が施され、バッファ５９に一旦格納されて、モニタ１９に内視鏡画像６０として表示される。以上のようにして、電子内視鏡１０とプロセッサ装置１１との間で、電波１２により信号が送受信される。
【００３５】
内視鏡診断が開始されると、電子内視鏡１０では、放電電圧測定回路４０により、バッテリ３８の放電電圧が測定される。また、計時回路４１により、バッテリ３８の使用時間の計時が開始される。放電電圧測定回路４０では、測定したバッテリ３８の放電電圧がＡ／Ｄ変換されてデジタル化される。放電電圧測定回路４０でデジタル化されたバッテリ３８の放電電圧、および計時回路４１の計時結果は、残り使用時間算出回路４２に送信される。
【００３６】
残り使用時間算出回路４２では、ＲＯＭ３１からバッテリ３８の放電電圧と放電時間との関係、および放電電圧測定回路４０の測定結果が予め設定されたある値となったときの計時回路４１の計時結果とＡに示す関係とから、バッテリ３８が使用限界となる時間を求めるデータテーブル、または演算式が読み出され、これにより放電電圧測定回路４０の測定結果Ｖmと、そのときの計時回路４１の計時結果ｔtimerから、使用限界時間ｔthが算出される。そして、算出された使用限界時間ｔthから、計時回路４１の計時結果ｔtimerが減算され、残り使用時間ｔrが求められる。残り使用時間算出回路４２で求められた残り使用時間ｔrは、変調部３４を経て送信部３５に送信され、０チャネルまたは同期期間を利用して、電波１２としてプロセッサ装置１１の受信部５４に送信される。
【００３７】
対して、プロセッサ装置１１では、受信部５４および復調部５５で受信・復調された残り使用時間ｔrが、ＣＰＵ５０を経て画像処理部５８に送信される。モニタ１９には、画像処理部５８の制御の下に、内視鏡画像６０の表示範囲外に、残り使用時間ｔrを元にしたバッテリ３８の残量を示すプログレスバー６１が表示される。残り使用時間ｔrが予め設定された閾値を下回ったときには、バッテリ３８の交換を促すメッセージ６２がプログレスバー６１とともに表示され、通常の場合と区別してプログレスバー６１が表示される。
【００３８】
以上詳細に説明したように、本発明を適用した電子内視鏡装置２は、バッテリ３８の放電電圧と放電時間との関係を記憶するＲＯＭ３１と、バッテリ３８の放電電圧を測定する放電電圧測定回路４０と、バッテリ３８の使用時間を計時する計時回路４１と、放電電圧測定回路４０の測定結果、計時回路４１の計時結果、およびバッテリ３８の放電電圧と放電時間との関係から、残り使用時間ｔrを求める残り使用時間算出回路４２と、残り使用時間ｔrをプロセッサ装置１１に送信する送信部３５とを備えた電子内視鏡１０、および、送信部３５からの残り使用時間ｔrを受信する受信部５４と、内視鏡画像６０の表示範囲外に、残り使用時間ｔrを元にしたバッテリ３８の残り使用時間を表すプログレスバー６１を表示させるように、モニタ１９の表示を制御する画像処理部５８とを備えたプロセッサ装置１１から構成されるので、術者は内視鏡画像６０を観察しながらバッテリ３８の残量を確認することができる。したがって、術者が煩わしさを感じずに内視鏡診断を行うことができる。
【００３９】
また、残り使用時間ｔrが予め設定された閾値を下回った場合、バッテリ３８の交換を促すメッセージ６２をプログレスバー６１とともに表示させ、プログレスバー６１を通常の場合と区別して表示するので、術者がバッテリ３８を交換するなどの適切な対応を即座にとれるようになる。
【００４０】
なお、ＲＯＭ３１の容量に余裕がある場合は、バッテリ３８の放電電圧と放電時間との関係として、図４のＡに示す関係だけでなく、バッテリ３８の充電回数や種類に応じた複数の関係を記憶させてもよい。このようにすると、ある程度予測に頼らざるを得ない上記実施形態の手法と比べて、より正確な残り使用時間ｔrを知ることができる。
【００４１】
上記実施形態では、いわゆるワイヤレス電子内視鏡装置２を例示して説明したが、本発明はこれに限定されず、信号ケーブルを介して電子内視鏡とプロセッサ装置とが接続された従来の電子内視鏡装置に適用することも可能である。
【図面の簡単な説明】
【００４２】
【図１】電子内視鏡装置の構成を示す概略図である。
【図２】電子内視鏡の内部構成を示すブロック図である。
【図３】電子内視鏡のＣＰＵの内部構成を示すブロック図である。
【図４】バッテリの放電電圧と放電時間との関係を示すグラフである。
【図５】プロセッサ装置の内部構成を示すブロック図である。
【図６】内視鏡画像とプログレスバーとがモニタに表示された状態を示す説明図である。
【図７】バッテリの交換を促すメッセージがモニタに表示された状態を示す説明図である。
【符号の説明】
【００４３】
２  電子内視鏡装置
１０  電子内視鏡
１１  プロセッサ装置
１２  電波
１６  ＣＣＤ
１９  モニタ
３０  ＣＰＵ
３１  ＲＯＭ
３５  送信部
３８  バッテリ
４０  放電電圧測定回路
４１  計時回路
４２  残り使用時間算出回路
５０  ＣＰＵ
５２  操作部
５４  受信部
５８  画像処理部
６０  内視鏡画像
６１  プログレスバー
６２  メッセージ
【図１】
2006280542.tif 000003
【図２】
2006280542.tif 000004
【図３】
2006280542.tif 000005
【図４】
2006280542.tif 000006
【図５】
2006280542.tif 000007
【図６】
2006280542.tif 000008
【図７】
2006280542.tif 000009